【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
記録媒体に画像形成するための電子写真画像形成装置において、
本体フレームと、
電子写真感光体からトナー像を転写させるための転写部材と、
前記本体フレームに支持され、第一の位置と第二の位置との間を移動可能な支持部材と、
前記支持部材に移動可能に支持されて、前記電子写真感光体を有するプロセスカートリッジが着脱される移動部材であって、前記支持部材が前記第一の位置に位置する状態では、前記電子写真感光体を前記転写部材に接触させ、前記電子写真感光体に潜像を形成できる潜像形成位置に位置し、前記支持部材が前記第二の位置に位置する状態では、前記電子写真画像形成装置の装置本体の外側において前記プロセスカートリッジを着脱可能な着脱位置と、前記支持部材が前記第一の位置へ移動することに伴って前記移動部材が前記潜像形成位置へ移動可能な、前記装置本体の内側において前記電子写真感光体が前記転写部材から離間した内側位置との間を手動によって移動可能な移動部材と、
前記移動部材が前記内側位置から外れた位置に位置する状態では、前記支持部材が前記第二の位置から前記第一の位置へ移動するのを規制する規制位置と、前記移動部材が前記内側位置に位置する状態では、前記支持部材が前記第二の位置から前記第一の位置へ移動するのを許容する許容位置と、を取り得る規制部材と、
を有することを特徴とする電子写真画像形成装置。
【請求項２】
前記移動部材が前記外れた位置に位置する状態で前記支持部材が前記第二の位置から前記第一の位置へ移動しようとする際に、前記規制位置に位置している前記規制部材が前記支持部材に当接することにより、前記支持部材が前記第二の位置から前記第一の位置へ移動するのが規制されることを特徴とする請求項１に記載の電子写真画像形成装置。
【請求項３】
前記移動部材が前記外れた位置から前記内側位置へ移動することにより、前記移動部材が前記規制部材を付勢して前記規制位置から前記許容位置に移動させることを特徴とする請求項１または２に記載の電子写真画像形成装置。
【請求項４】
前記装置本体には前記移動部材を前記装置本体に対して出し入れするための開口が設けられており、
前記開口を閉じる閉じ位置と、前記開口を開放する開放位置と、を取り得る本体ドアであって、前記支持部材と連結された本体ドアを有し、
前記移動部材が前記外れた位置に位置する状態で前記本体ドアが前記開放位置から前記閉じ位置へ移動しようとする際に、前記規制位置に位置している前記規制部材に前記支持部材が当接することによって、前記本体ドアが前記閉じ位置に移動するのが規制されることを特徴とする請求項１乃至３のいずれか１項に記載の電子写真画像形成装置。
【請求項５】
前記移動部材は、異なる色の現像剤を収容した複数の前記プロセスカートリッジが着脱されることを特徴とする請求項１乃至４のいずれか１項に記載の電子写真画像形成装置。
【請求項６】
前記移動部材は、前記内側位置と前記着脱位置との間を移動させる際に把持する取手部を備えていることを特徴とする請求項１乃至５のいずれか１項に記載の電子写真画像形成装置。
【請求項７】
記録媒体に画像形成するための電子写真画像形成装置において、
本体フレームと、
電子写真感光体からトナー像を転写させるための転写部材と、
前記本体フレームに支持され、第一の位置と第二の位置との間を移動可能な支持部材と、
前記支持部材に移動可能に支持されて、前記電子写真感光体を有するプロセスカートリッジが着脱される移動部材であって、前記支持部材が前記第一の位置に位置する状態では、前記電子写真感光体を前記転写部材に接触させ、前記電子写真感光体に潜像を形成できる潜像形成位置に位置し、前記支持部材が前記第二の位置に位置する状態では、前記電子写真画像形成装置の装置本体の外側において前記プロセスカートリッジを着脱可能な着脱位置と、前記支持部材が前記第一の位置へ移動することに伴って前記移動部材が前記潜像形成位置へ移動可能な、前記装置本体の内側において前記電子写真感光体が前記転写部材から離間した内側位置との間を手動によって移動可能な移動部材と、
前記本体フレームに設けられた規制部であって、前記移動部材が前記内側位置から外れた位置に位置する状態で前記支持部材が前記第二の位置から前記第一の位置へ移動しようとする際に、前記移動部材が当接して、前記支持部材が前記第一の位置へ移動することを規制する規制部と、
を有する電子写真画像形成装置。
【請求項８】
前記装置本体には前記移動部材を前記装置本体に対して出し入れするための開口が設けられており、
前記開口を閉じる閉じ位置と、前記開口を開放する開放位置と、を取り得る本体ドアであって、前記支持部材と連結された本体ドアを有し、
前記移動部材が前記外れた位置に位置する状態で前記本体ドアが前記開放位置から前記閉じ位置へ移動しようとする際に、前記移動部材が前記規制部に当接することにより、前記本体ドアの前記閉じ位置への移動が規制されることを特徴とする請求項７に記載の電子写真画像形成装置。
【請求項９】
前記移動部材は、異なる色の現像剤を収容した複数の前記プロセスカートリッジが着脱されることを特徴とする請求項７又は８に記載の電子写真画像形成装置。
【請求項１０】
前記移動部材は、前記内側位置と前記着脱位置との間を移動させる際に把持する取手部を備えていることを特徴とする請求項７乃至９のいずれか１項に記載の電子写真画像形成装置。

【手続補正２】
【補正対象書類名】明細書
【補正対象項目名】０００２
【補正方法】変更
【補正の内容】
【０００２】
ここで、電子写真画像形成装置とは、電子写真画像形成方式を用いて記録媒体に画像を形成するものである。そして、電子写真画像形成装置の例としては、例えば電子写真複写機、電子写真プリンタ（例えばレーザービームプリンタ、ＬＥＤプリンタ等）、フアクシミリ装置等が含まれる。

【手続補正３】
【補正対象書類名】明細書
【補正対象項目名】０００８
【補正方法】変更
【補正の内容】
【０００８】
そこで本発明は、移動部材に支持されたプロセスカートリッジにキズ、メモリが発生するのを抑制し、プロセスカートリッジに設けられた電子写真感光体を確実に転写部材に接触させることを目的とする。

【手続補正４】
【補正対象書類名】明細書
【補正対象項目名】０００９
【補正方法】変更
【補正の内容】
【０００９】
上記の目的を達成するための本発明に係る電子写真画像形成装置の代表的な構成は、  記録媒体に画像形成するための電子写真画像形成装置において、
本体フレームと、
電子写真感光体からトナー像を転写させるための転写部材と、
前記本体フレームに支持され、第一の位置と第二の位置との間を移動可能な支持部材と、
前記支持部材に移動可能に支持されて、前記電子写真感光体を有するプロセスカートリッジが着脱される移動部材であって、前記支持部材が前記第一の位置に位置する状態では、前記電子写真感光体を前記転写部材に接触させ、前記電子写真感光体に潜像を形成できる潜像形成位置に位置し、前記支持部材が前記第二の位置に位置する状態では、前記電子写真画像形成装置の装置本体の外側において前記プロセスカートリッジを着脱可能な着脱位置と、前記支持部材が前記第一の位置へ移動することに伴って前記移動部材が前記潜像形成位置へ移動可能な、前記装置本体の内側において前記電子写真感光体が前記転写部材から離間した内側位置との間を手動によって移動可能な移動部材と、
前記移動部材が前記内側位置から外れた位置に位置する状態では、前記支持部材が前記第二の位置から前記第一の位置へ移動するのを規制する規制位置と、前記移動部材が前記内側位置に位置する状態では、前記支持部材が前記第二の位置から前記第一の位置へ移動するのを許容する許容位置と、を取り得る規制部材と、
を有することを特徴とする。

【手続補正５】
【補正対象書類名】明細書
【補正対象項目名】００１５
【補正方法】変更
【補正の内容】
【００１５】
装置本体１０１内には、後側から前側にかけて、第１から第４の４つのプロセスカートリッジＰＹ・ＰＭ・ＰＣ・ＰＫが水平方向に並んで配設（インライン構成、タンデム型）されている。各カートリッジは、収容させたトナーの色が異なるだけで、互いに同様の構成である。本実施例の各カートリッジは、それぞれ、第１の像担持体としての電子写真感光体ドラム１と、このドラムに作用するプロセス手段としての帯電器２・現像器３・クリーニング器４をカートリッジ枠体５（図７・図８）内に一体的に組み付けたものである。本実施例の帯電器２は接触帯電ローラである。本実施例の現像器３は現像ローラ３ａを有し、現像剤容器内には現像剤（トナー）を収容している。本実施例のクリーニング器４はブレード式のものである。

【手続補正６】
【補正対象書類名】明細書
【補正対象項目名】００３５
【補正方法】変更
【補正の内容】
【００３５】
すなわち、画像形成装置の前面側には、装置本体内へカートリッジを挿入させる、及び、装置本体からカートリッジを取り出すために、カートリッジを通過させる開口３０（図２）を設けてある。ここで、装置本体１０１は開口３０を有する。

【手続補正７】
【補正対象書類名】明細書
【補正対象項目名】００４１
【補正方法】変更
【補正の内容】
【００４１】
また、トレイ３５の前枠部に設けた取手部３５ａが開口３０から露呈している。そして、取手部３５ａに手指を掛けて（把持）、手動で引出しを開けるように、トレイ３５を保持部材３４Ｌ・３４Ｒに対して滑走させて前方向に水平にスライド移動させる。そして、トレイ３５を、図５・図６のように、開口３０から装置本体外側の所定の引出し位置まで十分に引き出す。

【手続補正８】
【補正対象書類名】明細書
【補正対象項目名】００４５
【補正方法】変更
【補正の内容】
【００４５】
上記において、トレイ３５が、カートリッジが有するドラム１の軸線方向とは交差する方向に移動可能に設けられた移動部材である。また、該トレイ３５が、引出し位置（着脱位置）と、潜像形成位置と、移動可能位置（転写部材から離間した内側位置）と、を取り得る。ここで、引出し位置は、前記開口３０から突出して、カートリッジを装置本体の外側において着脱出来る位置（着脱可能な着脱位置）である。また、潜像形成位置は、カートリッジを本体フレーム１０１の内側に位置させてドラム１に静電潜像を形成できる位置である。また、移動可能位置は、装置本体の内側の位置であって、引出し位置から潜像形成位置への経路の途中に位置している。
【手続補正９】
【補正対象書類名】明細書
【補正対象項目名】００４６
【補正方法】変更
【補正の内容】
【００４６】
また、左右の保持部材３４Ｌ・３４Ｒが、トレイ３５を前記引出し位置に移動する前にトレイ３５を前記潜像形成位置から上方向に移動させる、および、前記潜像形成位置へ向かって下方向に移動させる移動手段である。別の言い方をすれば、保持部材３４Ｌ・３４Ｒは、トレイ３５を前記引出し位置と前記移動可能位置との間で移動させるための第二の位置と、トレイ３５を前記潜像形成位置に位置させるための第一の位置とを取り得る。そして、ドア３１が閉じるのに連動して、保持部材３４Ｌ・３４Ｒは、前記第二の位置から前記第一の位置に移動する。

【手続補正１０】
【補正対象書類名】明細書
【補正対象項目名】００７０
【補正方法】変更
【補正の内容】
【００７０】
図１１の（ｃ）は、ドア３１が完全に開かれた状態を示している。この状態においては、保持部材３４Ｌ・３４Ｒは第２ガイド領域３６ｂによる斜め上方移動を終えて、ピン軸３４ｃが水平な第３ガイド領域３６ｃに位置している（第二の位置）。即ち、保持部材３４Ｌ・３４Ｒは斜め上方に移動した後に水平方向に移動する。このように構成した理由は、その後、保持部材３４Ｌ・３４Ｒからトレイ３５を引き出してカートリッジを交換する際に、カートリッジや保持部材３４Ｌ・３４Ｒの高さ方向の位置を安定させるためである。また、カートリッジを交換する際に保持部材３４Ｌ・３４Ｒが元に戻ろうとする動きを防止するためである。

【手続補正１１】
【補正対象書類名】明細書
【補正対象項目名】００９２
【補正方法】変更
【補正の内容】
【００９２】
トレイ３５が十分には押し込まれていない図１７の状態においては、トレイ３５に設けられた突起部６７が、第２規制部材としての中間転写ベルト保持部材６８に開けられた穴６９の位置と合っていない。この状態で、ドア３１を閉めようとすると、連結アーム３７Ｒ・３７Ｒを介して保持部材３４Ｒ・３４Ｌが押し下げられ、トレイ３５も押し下げられた際に、突起部６７が、穴６９の周りに設けられた規制部である中間転写ベルト保持部材６８に突き当たる。このため、ドア３１を閉めることができない。